(57)【特許請求の範囲】
【請求項１】
互いに嵌合する一対のコネクタハウジングのうちの一方のコネクタハウジングに、これら一対のコネクタハウジングの嵌合方向に対し傾斜した傾斜面が備えられ、
他方のコネクタハウジングに、前記一方のコネクタハウジングの傾斜面に面接触する傾斜面が設けられたがた規制突部を有するインナハウジングと、前記インナハウジングを前記嵌合方向に移動自在に設けて当該インナハウジングを収容したアウタハウジングと、が備えられ、
前記インナハウジングの周壁の外面上でかつ前記アウタハウジングの前記インナハウジングの前記外面に接触する部分と前記がた規制突部との間に設けられて、前記インナハウジングを前記一方のコネクタハウジングに向かって付勢する防水パッキンが備えられたことを特徴とするコネクタ。
【請求項２】
前記傾斜面は、前記一方のコネクタハウジングに一体に形成されていることを特徴とする請求項１記載のコネクタ。
【請求項３】
前記防水パッキンが、両コネクタハウジングの完全嵌合状態で前記インナハウジングの周壁の外面と前記一方のコネクタハウジングの周壁の内面との間に密着状態で挟まれたことを特徴とする請求項１又は請求項２記載のコネクタ。
【発明の詳細な説明】
【技術分野】
【０００１】
本発明は、車両走行時などの振動によるがたつきを規制し、両コネクタハウジング内の雄・雌両端子の接続信頼性に優れるコネクタに関するものである。
【背景技術】
【０００２】
自動車などは、種々の電子機器に電力や振動を供給するために、ワイヤハーネスを配索している。ワイヤハーネスは、種々のコネクタを備えている。これらのコネクタとして、例えば、図７及び図８に示されたコネクタ６１（特許文献１参照）が用いられている。
【０００３】
この図７及び図８に例示されたコネクタ６１は、雌端子６２を収容する一方のコネクタハウジング６３と、雄端子７０を収容する他方のコネクタハウジング６５を備えている。一方のコネクタハウジング６３は、雄型のインナハウジング６４とその外側に設けられた矩形筒状のフード部６６とを備えている。インナハウジング６４は、雌端子６２を収容しているとともに、フード部６６内に収容されている。雌端子６２は、インナハウジング６４などに取り付けられる合成樹脂製のフロントホルダ６９で二重係止されている。インナハウジング６４の基部には防水パッキン７１が装着されている。
【０００４】
他方のコネクタハウジング６５は、筒状に形成され、雄端子７０を収容している。コネクタハウジング６３，６５同士が互いに嵌合すると、他方のコネクタハウジング６５がインナハウジング６４と、フード部６６との間に侵入する。
【０００５】
前述したコネクタ６１は、フード部６６の内面又は他方のコネクタハウジング６５の外面とのうち一方にガタ規制突部６７を一体に形成している（図示例では、ガタ規制突部６７をフード部６６の内面に設け、該ガタ規制突部６７は勿論フード部６６の内面から凸に形成されている）。
【０００６】
コネクタ６１は、コネクタハウジング６３，６５同士が互いに嵌合した際に、ガタ規制突部６７がフード部６６の内面又は他方のコネクタハウジング６５の外面とのうち他方から押圧されることで、コネクタハウジング６３，６５同士の嵌合方向に直交する向きに、コネクタハウジング６３，６５同士が相対的に振動することを防止している。コネクタ６１は、コネクタハウジング６３，６５同士が相対的に振動することを防止することで、雄・雌端子６２，７０同士が相対的に移動して、これらの端子６２，７０同士の接触点に所謂フレッチング摩耗などが生じることを防止している。こうして、コネクタ６１は、雄・雌端子６２，７０同士の電気的な接続の信頼性を向上させている。
【先行技術文献】
【特許文献】
【０００７】
【特許文献１】特開２００２−１９８１２７号公報（第３−４頁、図４，６）
【発明の概要】
【発明が解決しようとする課題】
【０００８】
しかしながら、前述したコネクタ６１は、コネクタハウジング６３，６５同士の嵌合方向に直交する向きのコネクタハウジング６３，６５同士の振動を抑制できるが、フード部６６の内面又は他方のコネクタハウジング６５の外面とのうち一方にガタ規制突部６７を一体に形成しているため、コネクタハウジング６３，６５同士の嵌合方向に沿ったコネクタハウジング６３，６５同士の振動を抑制することが困難である。なお、嵌合方向とは、コネクタハウジング６３，６５同士が嵌合する際に、これらのコネクタハウジング６３，６５が互いに近づく方向を示している。
【０００９】
このため、前述したコネクタ６１は、コネクタハウジング６３，６５同士が前述した嵌合方向に沿って相対的に振動して、雄・雌端子６２，７０同士も、前述した嵌合方向に沿って相対的に移動してしまう。このため、前述したコネクタ６１は、雄・雌端子６２，７０同士の接触点に所謂フレッチング摩耗などが生じて、雄・雌端子６２，７０同士の電気的な接続の信頼性が低下する傾向であった。
【００１０】
また、コネクタハウジング６３，６５同士の前述した嵌合方向の振動を防止するために、両コネクタハウジング６３，６５間にリング状のがたつき規制部材を介在させて、嵌合方向と嵌合方向に直交する方向との双方のがたつきを規制することも考えられる。しかしながら、別部品であるがたつき規制部材を設けると、両コネクタハウジング６３，６５間のがたつきが直接的には規制されず耐振動性能が不十分となるという問題や、がたつき規制部材の寸法精度のばらつきによって耐振動性能が安定しないという問題や、がたつき規制部材と両コネクタハウジング６３，６５の摺動抵抗によって、コネクタハウジング６３，６５同士が嵌合する際に必要とされる力（嵌合荷重）が増加するという問題があった。
【００１１】
本発明は、上記した点に鑑み、嵌合方向と該嵌合方向に直交する方向との双方のコネクタハウジング同士のがたつきを規制でき、これにより、雄・雌両端子の摩耗等を確実に防止することができ、また、安定した耐振動性能を発揮することができるコネクタを提供することを目的とする。
【課題を解決するための手段】
【００１２】
上記目的を達成するために、請求項１記載の本発明のコネクタは、互いに嵌合する一対のコネクタハウジングのうちの一方のコネクタハウジングに、これら一対のコネクタハウジングの嵌合方向に対し傾斜した傾斜面が備えられ、他方のコネクタハウジングに、前記一方のコネクタハウジングの傾斜面に面接触する傾斜面が設けられたがた規制突部を有するインナハウジングと、前記インナハウジングを前記嵌合方向に移動自在に設けて当該インナハウジングを収容したアウタハウジングと、が備えられ、前記インナハウジングの周壁の外面上でかつ前記アウタハウジングの前記インナハウジングの前記外面に接触する部分と前記がた規制突部との間に設けられて、前記インナハウジングを前記一方のコネクタハウジングに向かって付勢する防水パッキンが備えられたことを特徴としている。
【００１３】
上記構成によれば、一方のコネクタハウジングに設けられた傾斜面に、他方のコネクタハウジングが当接することで、コネクタハウジング同士の嵌合方向と嵌合方向に直交する方向との双方のがたつきが規制される。
【００１４】
また、嵌合方向に傾斜しているので、コネクタハウジングの外面又は内面から突出した突起より、傾斜面は、つぶれにくく摩耗しにくい。
【００１５】
上記構成によれば、両コネクタハウジングの完全嵌合時にがた規制突部と傾斜面とが当接することで、両コネクタハウジングの嵌合方向と嵌合方向に直交する方向との双方のがたつきが規制される。がた規制突部は、傾斜面が斜めに乗り上げて当接できるものであればよく、例えばリブ状、段状など種々の形状に形成することが可能である。また、がた規制突部を周方向に複数設けることもできる。
【００１６】
上記構成によれば、両コネクタハウジングが相互に強く拘束され、両コネクタハウジングの嵌合方向と嵌合方向に直交する方向との双方のがたつきが規制される。
【００１７】
上記構成によれば、両コネクタハウジングの嵌合に伴ってインナハウジングが傾斜面から押されて一方のコネクタハウジングから離れる方向に移動し、防水パッキンに当たって弾性的に支持される。これにより、両コネクタハウジング間の寸法誤差等が吸収され、がた規制突部（傾斜面）と傾斜面とが隙間無く確実に当接する。また、外部振動が防水パッキンにより吸収され、端子に振動が伝わり難くなる。
【００１８】
また、インナハウジングが移動するので、コネクタハウジング同士が嵌合する際に、コネクタハウジング同士を近づける力（嵌合荷重）を弱くすることができる。
【００１９】
請求項２記載の本発明のコネクタは、請求項１記載のコネクタにおいて、前記傾斜面は、前記一方のコネクタハウジングに一体に形成されていることを特徴としている。
【００２０】
上記構成によれば、傾斜面がコネクタハウジングに一体に設けられているので、部品点数が増加することを防止できる。
【００２１】
また、傾斜面が一方のコネクタハウジングに一体に設けられているので、傾斜面と一方のコネクタハウジングとの相対的な位置と、傾斜面と他方のコネクタハウジングとの相対的な位置と、を一定に保つことができる。
【００２２】
また、請求項３記載の本発明のコネクタは、請求項１又は請求項２記載のコネクタにおいて、前記防水パッキンが、両コネクタハウジングの完全嵌合状態で前記インナハウジングの周壁の外面と前記一方のコネクタハウジングの周壁の内面との間に密着状態で挟まれたことを特徴としている。
【００２３】
上記構成によれば、防水パッキンが軸方向（長手方向）に圧縮されることで両コネクタハウジングのがたが規制され、防水パッキンがインナハウジングと一方のコネクタハウジングとの間で半径方向（厚み方向）に圧縮されることで、インナハウジングと一方のコネクタハウジングの隙間が塞がれてコネクタ内に外部から水が進入することが防止される。
【発明の効果】
【００２４】
以上の如く、請求項１記載の発明によれば、傾斜面に他方のコネクタハウジングが当接することで、コネクタハウジング同士の嵌合方向と嵌合方向に直交する方向との双方のがたつきが規制されるから、両コネクタハウジング内の雄・雌端子の摩耗が確実に防止され、電気的な接続の信頼性が向上する。
【００２５】
また、傾斜面がつぶれにくく摩耗しにくいので、経年変化によっても、コネクタハウジング同士を安定して相対的に振動することを防止でき、安定した耐振動性能を発揮することができる。
【００２６】
がた規制突部と傾斜面との当接で振動時の嵌合方向と嵌合方向に直交する方向との双方のがたつきが防止されるから、両コネクタハウジング内の雄・雌端子の摩耗が確実に防止され、電気的な接続の信頼性が向上する。また、リング状の防水パッキンを介在させて両コネクタハウジングを嵌合させた場合に比べて、低嵌合荷重で両コネクタハウジングを嵌合させることもできる。
【００２７】
また、両コネクタハウジングの完全嵌合時に傾斜面同士が面接触することで、両コネクタハウジングが相互に強く拘束され、耐振動性能が向上し、請求項１記載の発明の効果が助長される。
【００２８】
また、両コネクタハウジングの嵌合時にインナハウジングが防水パッキンに当たって弾性的に支持され、傾斜面と傾斜面とが隙間無く確実に当接するから、安定した耐振動性能を発揮し、両コネクタハウジングのがたつきとそれに起因する端子の摩耗が一層確実に防止される。また、防水パッキンにより端子に振動が伝わり難くなり、これによってもコネクタの耐振動性能が向上する。
【００２９】
さらに、コネクタハウジング同士が嵌合する際の嵌合荷重を弱くすることができるので、コネクタハウジング同士を容易に嵌合させることができ、組み立てやすくなるという効果を奏でる。
【００３０】
請求項２記載の発明によれば、傾斜面がコネクタハウジングに一体に設けられているので、部品点数が増加することを防止できる。
【００３１】
また、傾斜面と一方のコネクタハウジングとの相対的な位置と、傾斜面と他方のコネクタハウジングとの相対的な位置と、を一定に保つことができるので、傾斜面と他方のコネクタハウジングとを常に一定の条件で当接させることができる。したがって、コネクタハウジング同士を常に安定して相対的に振動することを防止でき、常に安定した耐振動性能を発揮することができる。
【００３２】
また、請求項３記載の発明によれば、防水パッキンによりがたつきの規制と防水とが両方同時に行われることで、防水とがたつきの規制を行う部品を各々設けた場合より、部品点数が削減され、コネクタの肥大化やコストアップが防止される。
【図面の簡単な説明】
【００３３】
【図１】本発明に係るコネクタの一実施形態を示す断面図である。
【図２】図１に示すコネクタの嵌合前の状態を示す断面図である。
【図３】図２に示すコネクタの斜視図である。
【図４】コネクタを構成する部品を分解した状態を示す斜視図である。
【図５】図１に示されたコネクタの変形例を示す断面図である。
【図６】図１に示されたコネクタの他の変形例を示す断面図である。
【図７】従来のコネクタの一例を示す嵌合状態の断面図である。
【図８】図７に示すコネクタの嵌合直前の状態を示す縦断面図である。
【発明を実施するための形態】
【００３４】
以下に本発明の実施の形態の具体例を図面を用いて詳細に説明する。図１〜図４は、本発明に係るコネクタの一実施形態を示すものである。
【００３５】
耐振コネクタ（コネクタ）１０は、例えば自動車などの車両や電気器具などの振動を生じる部分に適用される電気接続部品であり、車両走行時の車体振動やエンジンからの強制振動や電気器具の自励振動などに起因するコネクタハウジングのがたつきを規制し、両コネクタハウジング内の雄・雌両端子の接続信頼性を向上させるものである。
【００３６】
本発明に係る耐振コネクタ１０は、少ない部品点数でコネクタハウジング１３，３６同士の嵌合方向Ｋ及び嵌合方向Ｋに直交する方向との双方のがたを規制でき、雄・雌両端子４８，５０の摩耗等を確実に防止することができ、また、安定した耐振動性能を発揮することができるものであり、雄型コネクタハウジング（他方のコネクタハウジング）１３に、弾性部材としての防水パッキン３２で嵌合方向Ｋに弾性支持され、傾斜面３０ａを有するがた規制突部３０が複数設けられたインナハウジング２５が備えられ、雌型コネクタハウジング（一方のコネクタハウジング）３６の周壁３９の内面に、両コネクタハウジング１３，３６の完全嵌合時にがた規制突部３０の傾斜面３０ａに当接するテーパ状の傾斜面４１が設けられたことを特徴とし、防水パッキン３２が、両コネクタハウジング１３，３６の完全嵌合状態でインナハウジング２５の周壁２８の外面と雌型コネクタハウジング３６の周壁３９の内面との間に密着状態で挟まれるものである。
【００３７】
以下に、耐振コネクタ１０の主要構成部分及びその作用について詳細に説明する。図１に示されるように、耐振コネクタ１０は、雄型コネクタハウジング１３に雌端子４８が収容された雄型コネクタ１２と、雌型コネクタハウジング３６に雄端子５０が保持された雌型コネクタ３５とを備えている。
【００３８】
ここで、本明細書の説明の都合上、上下、左右、前後の定義を以下のように定めることとする。上下方向とは、複数の雌端子４８が並ぶ方向と定め、上をロックアーム１７の位置する側とする。左右方向とは、タブ状をなす雄端子５０の板厚方向と定める。前後方向は、図１中の矢印Ｋで示す嵌合方向と定め、前を両コネクタハウジング１３，３６の嵌合先端側とする。なお、嵌合方向Ｋとは、前記コネクタハウジング１３，３６同士が嵌合する（近づく）際に、これらのコネクタハウジング１３，３６が移動する方向を示している。
【００３９】
雄型コネクタ１２は、雄型コネクタハウジング１３と、防水パッキン（弾性部材に相当する）３２と、端子本係止用のフロントホルダ４５（図３に示す）と、電線４６付きの雌端子４８とを備えている。
【００４０】
雄型コネクタハウジング１３は、アウタハウジングであるフード部２０と、端子収容部であるインナハウジング２５とを備えている。フード部２０は、合成樹脂材料を構成材料とし、射出成形されたものである。フード部２０は、一つの前壁１４と、複数の周壁１６を備えて、箱状に形成されている。前壁１４は、前述した壁１４，１６のうち最も雌型コネクタ３５寄りに位置している。前壁１４には、開口部が形成されている。該開口部には、インナハウジング２５が嵌入されるようになっている。
【００４１】
また、複数の周壁１６は、それぞれ、前壁１４に連なっている。複数の周壁１６のうち図１中最も上方に位置する周壁（以下、天壁と呼ぶ）１６ａ（図２）には、可撓性を有するロックアーム１７が形成されている。ロックアーム１７は、シーソ状をなし、前端側に下向きの係止部１７ａと、後端側にロック解除用の押圧操作部１７ｃと、長手方向中間部に天壁１６に連結された支持部１７ｄとを有している。係止部１７ａには、垂直な係止面１７ｂが形成されており、雌型コネクタハウジング３６の周壁３９に形成された係止突起４２の垂直係止面４２ｂ（図２）が係止面１７ｂに当接することで、両コネクタハウジング１３，３６がロックされるようになっている。
【００４２】
また、天壁１６ａには、前壁１４の延長部分からなるコ字状の保護壁１８が立設している。保護壁１８は、ロックアーム１７を互いの間に位置付けている。ロックアーム１７は、保護壁１８間に位置しているため、外部干渉などから保護され、不用意に押されて、コネクタハウジング１３，３６のロックが解除されることが防止されている。
【００４３】
さらに、周壁１６の内面には、雌型コネクタハウジング３６の周壁３９に条設された図示しないガイドリブに対する複数のガイド溝１９（図４）と、インナハウジング２５に対するハウジング装着部２２が設けられている。本実施形態では、ガイド溝１９が互いに直交する周壁１６に形成され、雌型コネクタハウジング３６が上下方向と左右方向とに位置決めされ、両コネクタハウジング１３，３６の嵌合動作がスムーズに行われるようになっている。
【００４４】
また、ハウジング装着部２２は、雄型コネクタハウジング１３の内部空間の奥側に設けられている。ハウジング装着部２２では、周壁１６の内面には、インナハウジング２５の周壁２８に突設された係合突部３１に対する係止突部２１（図４）が形成されている。
【００４５】
複数の周壁１６即ちフード部２０は、インナハウジング２５を外側から囲むフードとして機能し、インナハウジング２５との間に形成された環状の隙間に、雌型コネクタハウジング３６の周壁３９が嵌入されるようになっている。
【００４６】
インナハウジング２５は、合成樹脂材料を構成材料とし、射出成形されたものであり、断面略矩形状に形成されている。インナハウジング２５は、筒状に形成され、内側に仕切壁で区画された２極の端子収容室２６と、フロントホルダ４５に対する挿入孔２７（図４）とが形成されている。
【００４７】
端子収容室２６は、雌端子４８を収容する。端子収容室２６には、図示しない端子係止ランスが形成されていて、端子係止ランスの突起が雌端子４８の電気接触部４８ａの後端部に当接することにより、雌端子４８が仮係止されるようになっている。挿入孔２７は、端子収容室２６及び端子係止ランスの撓み空間に連通している。挿入孔２７は、フロントホルダ４５が挿入されることで、端子係止ランスの撓みが阻止されて、雌端子４８が二重係止されるようになっている。即ち、挿入孔２７は、フロントホルダ４５が挿入されることで、端子収容室２６内から雌端子４８が抜け出ることを防止する。
【００４８】
また、インナハウジング２５には、周壁２８の外面から凸の係合突部３１が設けられている。係合突部３１は、周壁２８の外面のうち後端側即ち雌型コネクタハウジング３６から離れた側の端部に設けられている。係合突部３１は、係止突部２１に係合する。前述した構成のインナハウジング２５は、ハウジング装着部２２の奥側に押し込まれて、フード部２０に取り付けられる。インナハウジング２５は、前述した嵌合方向Ｋに沿って移動自在に、フード部２０に支持される。このため、インナハウジング２５は、前述した嵌合方向Ｋに沿って移動自在に設けられている。また、インナハウジング２５は、係止突部２１に係合突部３１が係合することで、フード部２０から嵌合方向Ｋに沿って前抜け（雌型コネクタハウジング３６に向かって移動すること）が防止されている。
【００４９】
さらに、インナハウジング２５には、周壁２８の外面から凸でかつ傾斜面３０ａを有するがた規制突部３０が複数設けられている。複数のがた規制突部３０は、周壁２８の外面のうち前端側即ち雌型コネクタハウジング３６寄りの端部に設けられている。複数のがた規制突部３０は、インナハウジング２５の周壁２８の周方向に沿って、互いに間隔をあけて設けられている。
【００５０】
がた規制突部３０は、断面直角三角形状をなし、前側即ち雌型コネクタハウジング３６寄りに傾斜面３０ａ、後側即ち雌型コネクタハウジング３６から離れた側に傾斜面３０ａに連なる垂直面３０ｂを有している。即ち、傾斜面３０ａは、インナハウジング２５に一体に形成されている。インナハウジング２５に一体に形成されていることで、傾斜面３０ａは、雄型コネクタハウジング１３に一体に形成されている。傾斜面３０ａは、雌型コネクタハウジング３６と相対するとともに、前述した嵌合方向Ｋに対し交差する方向に沿って平坦に形成されている。即ち、傾斜面３０ａは、前述した嵌合方向Ｋに対し傾斜している。
【００５１】
傾斜面３０ａには、両コネクタハウジング１３，３６の完全嵌合時に雌型コネクタハウジング３６の周壁３９の内面に形成された傾斜面４１が当接するようになっている。このとき、傾斜面３０ａ，４１は、互いに重なり合うとともに、互いに密に接触する。なお、傾斜面３０ａが傾斜面４１に当接することで、がた規制突部３０は、傾斜面４１に当接する。即ち、傾斜面３０ａが傾斜面４１に当接することで、傾斜面４１に雄型コネクタハウジング１３が当接する。
【００５２】
垂直面３０ｂは、ハウジング装着部２２の前端面２２ａ（図４）に対向する面である。インナハウジング２５の取り付け後において、垂直面３０ｂと前端面２２ａとの間には防水パッキン３２が軸方向に圧縮された状態で挟まれるようになっている。すなわち、防水パッキン３２の後端面がハウジング装着部２２の前端面２２ａに当接し、防水パッキン３２の前端面ががた規制突部３０の垂直面３０ｂに当接するようになっている。がた規制突部３０の突出高さは、防水パッキン３２の厚みと同程度の寸法に形成されている。このため、防水パッキン３２は、がた規制突部３０を乗り越えて前側に抜け出ないようになっている。
【００５３】
インナハウジング２５の後側には、端子収容室２６に連通して後方に延出する電線引き出し部２９が筒状に形成されている。電線引き出し部２９には、引き出される電線４６に被せられた防水用のゴム栓４７（図２）が挿入され、電線４６の表面に付着した水が端子収容室２６に進入しないように防水されている。
【００５４】
インナハウジング２５は、フード部２０に嵌合方向Ｋに沿って移動自在に設けられ、防水パッキン３２により後述するように雌型コネクタハウジング３６に向かって付勢されている（弾性支持されている）から、両コネクタハウジング１３，３６の成形後の収縮に伴う寸法誤差が吸収されるとともに、両コネクタハウジング１３，３６の嵌合時の組付誤差が矯正されて、常に、両コネクタハウジング１３，３６の両傾斜面３０ａ，４１が密着して当接するようになっている。これにより、両コネクタハウジング１３，３６は、嵌合方向Ｋと嵌合方向Ｋに直交する方向との双方の方向でがたつきが防止され、安定した耐振動性能が発揮されるようになっている。
【００５５】
なお、前述した雄型コネクタハウジング１３は、本明細書に記した他方のコネクタハウジングをなしている。
【００５６】
防水パッキン３２は、合成ゴムやエラストマ樹脂などを構成材料として成形されたものであり、矩形筒状を成している。防水パッキン３２は、ハウジング装着部２２の前端面２２ａとがた規制突部３０の垂直面３０ｂとの間に挟まれることで、前後方向に抜け出すことなく装着される。防水パッキン３２の前端面にがた規制突部３０の垂直面３０ｂが当接することで、インナハウジング２５は、防水パッキン３２により、雌型コネクタハウジング３６に向かって付勢されている（弾性支持されている）。
【００５７】
防水パッキン３２の外面には、雌型コネクタハウジング３６の周壁３９の内面に密着する二つのリップ３２ａ，３２ａが形成されている。リップ３２ａは、雌型コネクタハウジング３６の周壁３９の内面に向かって凸に形成されている。リップ３２ａは、雌型コネクタハウジング３６の周壁３９の内面からインナハウジング２５に没する方向に押されることで、インナハウジング２５と雌型コネクタハウジング３６の隙間を埋めて、防水を図られるようにしている。
【００５８】
フロントホルダ４５（図４）は、水平な壁部４５ａと垂直な壁部４５ｂとを一体に備えている。垂直な壁部４５ｂは、端子係止ランスの撓み空間内に進入する部分であり、端子係止ランスの撓みを阻止することで、雌端子４８を本係止して該雌端子４８の抜けを防止するようになっている。水平な壁部４５ａには、図示しない係止孔が形成されている。水平な壁部４５ａに設けられた係止孔が挿入孔２７の内壁面に突設された図示しない突起に係合することで、フロントホルダ４５は、雄型コネクタハウジング１３からの抜け出し（脱落）が防止されている。
【００５９】
雌端子４８は、導電性板材から打ち抜かれた展開状態の基板を折り曲げることによって形成されたものであり、一方に電気接触部４８ａが形成され、他方に電線圧着部４８ｂが形成されている。電気接触部４８ａは、箱状をなしており、雄端子５０の電気接触部である雄タブ５０ａが挿入されることで電気的接続が行われるようになっている。電線圧着部４８ｂは、前後に各一対の圧着片を有しており、圧着片をかしめることにより、芯線部及び被覆部が圧着されるようになっている。
【００６０】
雌型コネクタ３５は、機器直付け式のものであり、雌型コネクタハウジング３６と、雄端子５０とを備えている。雌型コネクタハウジング３６は、モータなどの機器に固定されるフランジ部３７と、雄端子５０とともに一体成形された端子固定部３８と、端子固定部３８に続く略環状の環状部４３と、を備えている。
【００６１】
端子固定部３８は、方体状に形成され、雄端子５０を埋設している。フランジ部３７は、端子固定部３８の外面から凸に形成されている。環状部４３は、複数の周壁３９を備えている。それぞれの周壁３９が、端子固定部３８の外縁から雄型コネクタハウジング１３に向かって立設している。
【００６２】
周壁３９の内側には、インナハウジング２５が嵌入されるコネクタ嵌合室４０が設けられている。コネクタ嵌合室４０には、雄端子５０の雄タブ５０ａが突出している。コネクタ嵌合室４０内では、両コネクタハウジング１３，３６の嵌合時に、雄・雌両端子４８，５０の端子接続が行われるようになっている。
【００６３】
また、コネクタ嵌合室４０の外縁部と周壁３９の内面とに亘って、テーパ状の傾斜面４１が形成されている。即ち、傾斜面４１は、雌型コネクタハウジング３６と一体に形成されている。傾斜面４１は、がた規制突部３０の傾斜面３０ａに当接する当接面である。傾斜面４１は、嵌合方向Ｋに対して傾斜面３０ａと同一の傾斜角度で、表面が平坦に形成されている。
【００６４】
傾斜面４１は、雄型コネクタハウジング１３と相対するとともに、前述した嵌合方向Ｋに対し交差する方向に沿って平坦に形成されている。即ち、傾斜面４１は、前述した嵌合方向Ｋに対し傾斜している。傾斜面３０ａ，４１は、コネクタハウジング１３，３６同士が完全嵌合した時に、（互いに密に重なり合う）当接する。即ち、傾斜面３０ａ，４１は、互いに所謂面接触する。傾斜面３０ａ，４１は、コネクタハウジング１３，３６同士が完全嵌合した時に、（互いに密に重なり合う）当接することで、嵌合方向Ｋだけでなく、嵌合方向Ｋに直交する方向のインナハウジング２５と雌型コネクタハウジング３６とのがたつきも防止するようになっている。
【００６５】
さらに、複数の周壁３９の内の図１中最も上方に位置する周壁３９には、ロックアーム１７の係止部１７ａに係合する係止突起４２が形成されている。係止突起４２は、周壁３９の外面から凸に形成されている。係止突起４２は、雄型コネクタハウジング１３に相対する傾斜面４２ａと、傾斜面４２ａに続く垂直係止面４２ｂを有している。垂直係止面４２ｂが、係止部１７ａの係止面１７ｂに当接することで、係止突起４２とロックアーム１７とが互いに係合して、両コネクタハウジング１３，３６が係止（嵌合）するようになっている。
【００６６】
なお、前述した雌型コネクタハウジング３６は、本明細書に記した一方のコネクタハウジングをなしている。
【００６７】
雄端子５０は、導電性の金属からなり、棒状に形成されている。雄端子５０は、電気接触部である雄タブ５０ａが前述したコネクタ嵌合室４０内に位置するように、一端部が端子固定部３８に埋設されている。
【００６８】
次に、耐振コネクタ１０の組み立て及び嵌合方法について説明する。まず、雄型コネクタ１２は次のようにして組み立てられる。インナハウジング２５の後側から防水パッキン３２を嵌め込み、インナハウジング２５を雄型コネクタハウジング１３のハウジング装着部２２に嵌入させ、防水パッキン３２をハウジング装着部２２の前端面２２ａとがた規制突部３０の垂直面３０ｂ（図４）との間で圧縮した状態に挟む。そして、防水パッキン３２の弾性力に抗しつつインナハウジング２５を奥側へ深く押し込み、インナハウジング２５の係合突部３１をハウジング装着部２２の係止突部２１に係合させる。そして、インナハウジング２５の端子収容室２６に後側から雌端子４８を挿入し、インナハウジング２５の挿入孔２７に前側からフロントホルダ４５を挿入して、雄型コネクタ１２の組み立てを終了する。
【００６９】
続いて、耐振コネクタ１０は、次のようにして嵌合される。雌型コネクタハウジング３６に雄型コネクタハウジング１３を嵌入させると、インナハウジング２５が、雌型コネクタハウジング３６のコネクタ嵌合室４０に嵌入し、雌型コネクタハウジング３６の周壁３９が雄型コネクタハウジング１３の環状空間に嵌入する。そして、両コネクタハウジング１３，３６を深く嵌入させると、コネクタ嵌合室４０の奥側の傾斜面４１が、インナハウジング２５のがた規制突部３０の傾斜面３０ａに当接し、インナハウジング２５が防水パッキン３２を弾性力に抗しつつ圧縮し、雌型コネクタハウジング３６の係止突起４２がロックアーム１７の係止部１７ａに係合して、両コネクタハウジング１３，３６の嵌合が終了する。
【００７０】
両コネクタハウジング１３，３６の完全嵌合状態において、防水パッキン３２の反発弾性力（弾性復元力）により、インナハウジング２５が前方に（雌型コネクタハウジング３６に向かって）付勢され、がた規制突部３０の傾斜面３０ａに雌型コネクタハウジング３６の傾斜面４１が密着した状態で当接する。また、インナハウジング２５の周壁２８の内面と雌型コネクタハウジング３６の周壁３９の外面とが防水パッキン３２に密着する。このように、防水パッキン３２は、両コネクタハウジング１３，３６の完全嵌合状態において、インナハウジング２５の周壁２８の外面と雌型コネクタハウジング３６の周壁３９の内面との間に密着状態で挟まれる。
【００７１】
このように本実施形態によれば、振動時の嵌合方向Ｋと、嵌合方向Ｋに直交する方向との双方方向のがたつきが防止され、両コネクタハウジング１３，３６の雄・雌端子４８，５０の摩耗（フレッチング摩耗など）が確実に防止される。嵌合方向Ｋに沿って移動自在に支持されかつ雌型コネクタハウジング３６に向かって付勢された（弾性支持された）インナハウジング２５の傾斜面３０ａと、雌型コネクタハウジング３６の傾斜面４１とが隙間無く当接し、安定した耐振動性能が発揮され、両コネクタハウジング１３，３６のがたつきとそれに起因する端子４８，５０の摩耗が一層確実に防止される。
【００７２】
また、傾斜面３０ａ，４１は、嵌合方向Ｋに対し傾斜しているので、コネクタハウジング１３，３６の内面又は外面から突出した突起などより、つぶれにくく摩耗しにくい。このため、経年変化などによっても、傾斜面３０ａ，４１同士が確実に密に接触し続けて、コネクタハウジング１３，３６同士を常に安定して接触させることができ、コネクタハウジング１３，３６同士が相対的に振動することを防止でき、安定した耐振動性能を発揮することができる。
【００７３】
さらに、傾斜面３０ａ，４１をコネクタハウジング１３，３６に一体に形成しているので、コネクタ３の部品点数が増加することを防止できる。さらに、傾斜面３０ａ，４１とコネクタハウジング１３，３６との相対的な位置及び傾斜面３０ａ，４１同士の相対的な位置、即ち、傾斜面３０ａ，４１と雄型コネクタハウジング１３との相対的な位置及び傾斜面３０ａ，４１と雌型コネクタハウジング３６との相対的な位置を一定に保つことができる。
【００７４】
このため、傾斜面３０ａ，４１同士を常に一定の条件で当接させることができる。即ち、傾斜面３０ａと雌型コネクタハウジング３６とを常に一定の条件で当接させることができるとともに、傾斜面４１と雄型コネクタハウジング１３とを常に一定の条件で当接させることができる。したがって、コネクタハウジング１３，３６同士を常に安定して接触させることができ、これらのコネクタハウジング１３，３６同士が相対的に振動することを防止でき、常に安定した耐振動性能を発揮することができる。
【００７５】
なお、本発明は上記実施形態に限定されるものではなく、本発明の骨子を逸脱しない範囲で以下のように変形して実施することができる。
【００７６】
（１）インナハウジング２５の周壁２８に複数のがた規制突部３０を設ける代わりに、環状に連続形成されたがた規制突部を設ける。がた規制突部は、リブ状、段状等の種々の形状に形成することができる。このように構成すると、がた規制突部の傾斜面が環状に連続形成され、両コネクタハウジング１３，３６の両傾斜面の接触面積が増加して、耐振コネクタ１０の耐振動性能が向上する。また、互いに環状をなす両傾斜面の調心作用により、雄・雌両端子４８，５０の中心ずれ（軸ずれ）が吸収され、両端子４８，５０の接続がスムーズに行われ、端子接続の信頼性が向上する。
【００７７】
（２）他方のコネクタ３５を、機器直付けコネクタから通常のワイヤハーネスのコネクタにしても良い。このように構成すると、耐振コネクタ１０の適用範囲を広げることができる。
【００７８】
（３）防水パッキン３２とインナハウジング２５とを別体とする代わりに、防水パッキン３２とインナハウジング２５を一体に形成する。このように構成すると、構成部品数の減少により、寸法誤差の累積を防止でき、耐振動性能を向上することができる。
【００７９】
（４）ハウジング装着部２２の前端面２２ａとがた規制突部３０の垂直面３０ｂとの間の隙間を大きく形成し、前端面２２ａと垂直面３０ｂとの間で、防水パッキン３２が圧縮された状態で挟まれないように雄型コネクタ１２を組み立て、両コネクタハウジング１３，３６の完全嵌合時に、インナハウジング２５が奥へ押し込まれることにより、前端面２２ａと垂直面３０ｂとの間で、防水パッキン３２が圧縮された状態で挟まれるようにして、防水パッキン３２の反発弾性力により、インナハウジング２５が前方に付勢されるように構成することもできる。このように構成すると、がた規制突部３０の傾斜面３０ａに雌型コネクタハウジング３６の傾斜面４１を密着した状態で当接させることができることに加えて、雄型コネクタハウジング１３に対するインナハウジング２５の装着を容易に行うことができ、雄型コネクタ１２の組立作業性を向上することができる。
【００８０】
（５）図５に示すように、雌型コネクタハウジング３６に傾斜面４１を設け、雄型コネクタハウジング１３に傾斜面３０ａを設けずに、傾斜面４１を雄型コネクタハウジング１３に当接させても良い。
【００８１】
（６）図６に示すように、雄型コネクタハウジング１３に傾斜面３０ａを設け、雌型コネクタハウジング３６に傾斜面４１を設けずに、傾斜面３０ａを雌型コネクタハウジング３６に当接させても良い。このように、図５及び図６に示すようにしても、コネクタハウジング１３，３６同士の相対的な振動を規制して、端子４８，５０間の摩耗を抑制できる。なお、図５及び図６において、前述した実施形態と同一部分には、同一符号を付して説明を省略する。
【００８２】
（７）傾斜面３０ａ，４１をコネクタハウジング１３，３６と別体の部材に設けても良い。即ち、傾斜面３０ａ，４１をコネクタハウジング１３，３６と別体にしても良い。
【００８３】
（８）インナハウジング２５とフード部２０とを一体に形成しても良い。
【符号の説明】
【００８４】
１０        耐振コネクタ（コネクタ）
１３        雄型コネクタハウジング（他方のコネクタハウジング）
２５        インナハウジング
２８        周壁
３０        がた規制突部
３０ａ      傾斜面
３２        防水パッキン（弾性部材）
３６        雌型コネクタハウジング（一方のコネクタハウジング）
３９        周壁
４１        傾斜面
【図１】
0004332154.tif 000002
【図２】
0004332154.tif 000003
【図３】
0004332154.tif 000004
【図４】
0004332154.tif 000005
【図５】
0004332154.tif 000006
【図６】
0004332154.tif 000007
【図７】
0004332154.tif 000008
【図８】
0004332154.tif 000009